(57)【要約】【課題】本発明は、ユーザが生体情報の測定を行うことを必ずしも前提としない見守り支援システムの提供を目的とする。また、生体情報を測定する場所や測定頻度がユーザそれぞれに違うことを考慮した見守り支援システムの提供を目的とする。【解決するための手段】体組成計１０は、使用者端末２０が発する、例えば、Ｂｌｕｅｔｏｏｔｈ（登録商標）やＷｉＦｉの電波を受信する（Ｓ１）。体組成計１０は、この電波の受信強度（ＲＳＳＩ）を測定して（Ｓ２）、測定した電波の受信強度（ＲＳＳＩ）が一定時間を過ぎても所定値以下の状態が続く場合（異常値の検出）には、使用者端末２０が体組成計１０の近傍に移動した形跡がなく使用者に異常が起きた可能性があると判断して、監視者端末３０に対して、使用者の安否確認を促す通報メッセージを送信する（Ｓ５）。【選択図】図１
2019016260.tif 000002
【特許請求の範囲】
【請求項１】
見守り支援装置を用いて使用者の安否確認を促す通報メッセージを送信する見守り支援システムであって、
見守り支援装置は、
使用者端末及び監視者端末を登録する登録手段と、
前記使用者端末が発する電波の受信強度に基づいて前記使用者の安否確認を促す通報メッセージを送信するか否かの判断条件を設定する条件設定手段と、
前記使用者端末が発する電波の受信強度を測定する測定手段と、
前記判断条件に基づいて前記監視者端末に前記使用者の安否確認を促す通報メッセージを送信する通報手段と、を備えることを特徴とする見守り支援システム。
【請求項２】
前記登録手段は、前記見守り支援装置が常時設置される場所をさらに登録して、
前記条件設定手段は、前記見守り支援装置が常時設置される場所ごとに前記判断条件を設定する、ことを特徴とする請求項１に記載の見守り支援システム。
【請求項３】
前記条件設定手段は、前記電波の受信強度の実測値に基づいて前記判断条件を設定する、ことを特徴とする請求項２に記載の見守り支援システム。
【請求項４】
前記通報手段は、前記監視者端末に前記使用者の安否確認を促す通報メッセージを送信する前に前記使用者端末に事前通知を行う、ことを特徴とする請求項１乃至３に記載の見守り支援システム。
【請求項５】
前記見守り支援装置は、体組成計であることを特徴とする請求項１乃至４に記載の見守り支援システム。
【請求項６】
コンピュータを、請求項１乃至５のいずれか一項に記載の見守り支援装置として機能させることを特徴とする見守り支援プログラム。
【請求項７】
見守り支援装置を用いて使用者の安否確認を促す通報メッセージを送信する見守り支援方法であって、
見守り支援装置は、
使用者端末及び監視者端末を登録し、
前記使用者端末が発する電波の受信強度に基づいて前記使用者の安否確認を促す通報メッセージを送信するか否かの判断条件を設定し、
前記使用者端末が発する電波の受信強度を測定し、
前記判断条件に基づいて前記監視者端末に前記使用者の安否確認を促す通報メッセージを送信する、ことを特徴とする見守り支援方法。
【発明の詳細な説明】
【技術分野】
【０００１】
本発明は、見守り支援システム、見守り支援プログラム及び見守り支援方法に関する。
【背景技術】
【０００２】
一人暮らしをしている生活者の見守り支援を行う技術として、例えば、特許文献１には、生活者の生体情報を測定して、その測定値の大小によって生活者の健康状態を把握し、遠隔地に居住する家族等に生活者の健康状態を通知する見守り支援装置が知られている。
【先行技術文献】
【特許文献】
【０００３】
【特許文献１】特開２０１４−１８６４０２号公報
【発明の概要】
【発明が解決しようとする課題】
【０００４】
特許文献１に記載されている、生体情報の測定機能を有する見守り支援装置は、この見守り支援装置を使用するユーザがこの見守り支援装置を用いて体重などの生体情報の測定を行うことを前提にしている。この場合、ユーザが生体情報の測定を行ったり行わなかったりすると、実際にはユーザに特段の異常がないにもかかわらず、遠隔地に居住している家族に対しては都度メールが送信されてしまう。
【０００５】
本発明は、ユーザが生体情報の測定を行うことを必ずしも前提としない見守り支援システムの提供を目的とする。また、生体情報を測定する場所や測定頻度がユーザそれぞれに違うことを考慮した見守り支援システムの提供を目的とする。
【課題を解決するための手段】
【０００６】
本発明の見守り支援システムは、見守り支援装置を用いて使用者の安否確認を促す通報メッセージを送信する見守り支援システムであって、見守り支援装置は、使用者端末及び監視者端末を登録する登録手段と、前記使用者端末が発する電波の受信強度に基づいて前記使用者の安否確認を促す通報メッセージを送信するか否かの判断条件を設定する条件設定手段と、前記使用者端末が発する電波の受信強度を測定する測定手段と、前記判断条件に基づいて前記監視者端末に前記使用者の安否確認を促す通報メッセージを送信する通報手段と、を備えることを特徴とする。
【０００７】
本発明の見守り支援システムは、前記登録手段は、前記見守り支援装置が常時設置される場所をさらに登録して、前記条件設定手段は、前記見守り支援装置が常時設置される場所ごとに前記判断条件を設定する、ことを特徴とする。
【０００８】
本発明の見守り支援システムは、前記条件設定手段は、前記電波の受信強度の実測値に基づいて前記判断条件を設定する、ことを特徴とする。
【０００９】
本発明の見守り支援システムは、前記通報手段は、前記監視者端末に前記使用者の安否確認を促す通報メッセージを送信する前に前記使用者端末に事前通知を行う、ことを特徴とする。
【００１０】
本発明の見守り支援システムは、前記見守り支援装置は、体組成計であることを特徴とする。
【００１１】
本発明の見守り支援プログラムは、コンピュータを、上記の見守り支援装置として機能させることを特徴とする。
【００１２】
本発明の見守り支援方法は、見守り支援装置を用いて使用者の安否確認を促す通報メッセージを送信する見守り支援方法であって、見守り支援装置は、使用者端末及び監視者端末を登録し、前記使用者端末が発する電波の受信強度に基づいて前記使用者の安否確認を促す通報メッセージを送信するか否かの判断条件を設定し、前記使用者端末が発する電波の受信強度を測定し、前記判断条件に基づいて前記監視者端末に前記使用者の安否確認を促す通報メッセージを送信する、ことを特徴とする。
【発明の効果】
【００１３】
本発明によれば、見守り支援装置（体組成計等）において、使用者が携帯している使用者端末が発する電波の受信強度を測定して、その電波の受信強度に基づいて使用者端末の通信圏外か否かを判断する。例えば、見守り支援装置（体組成計等）が使用者端末の通信圏外である状態が長く続いている場合には、使用者端末が見守り支援装置（体組成計等）の近傍に無い状態が続いている、つまり、使用者の行動に異変が生じている可能性があるとみなして、監視者端末に安否確認を促す通報メッセージを送信する。このような見守り支援システムでは、見守り支援装置（体組成計等）の使用に依存することなく、見守り支援を実現することが出来る。
【００１４】
また、本発明によれば、見守り支援装置（体組成計等）が常時設置される場所の違いによって、見守り支援装置（体組成計等）が使用者端末の通信圏外と判断する条件を設定することが出来る。この条件は、例えば、通信圏外と判断する時間や発生回数である。このようにすることで、使用者ごとに異なる見守り支援装置（体組成計）の設置場所や使用頻度を考慮した見守り支援を実現することが出来る。
【００１５】
本発明によれば、見守り支援装置（体組成計等）使用者端末の通信圏外と判断する条件を、実際の設置場所における電波の受信強度の実測値に基づいて設定することで、より高精度に使用者端末の通信圏外と判断するようになるため、より適切に監視者端末に安否確認を促す通報メッセージを送信することが出来る。
【００１６】
また、本発明によれば、使用者の安否確認を促すメッセージを監視者端末に通報する前に、使用者端末に事前通知を行うことで、使用者が意図しない通報を未然に回避することが出来る。
【図面の簡単な説明】
【００１７】
【図１】見守り支援システムの概要説明図である。
【図２】見守り支援システムの内部構成例である。
【図３】見守り支援装置の登録画面例である。
【図４】見守り支援装置の条件設定画面例である。
【図５】見守り支援装置における電波の受信強度（ＲＳＳＩ）のしきい値テーブルの説明図である。
【図６】見守り支援システムの動作処理の一例のフローチャートである。
【図７】見守り支援システムの通報メッセージの一例である。
【発明を実施するための形態】
【００１８】
まず、図１を参照して、本発明の見守り支援システムの概要を説明する。図１において、体組成計１０は、見守り支援装置の一例である。使用者端末２０は、体組成計１０を使用する使用者が日常的に携帯する携帯端末である。監視者端末３０は、使用者の家族等が使用する端末で、体組成計１０から、使用者の安否確認を促す通報メッセージを受信する。
【００１９】
体組成計１０は、使用者端末２０が発する、例えば、Ｂｌｕｅｔｏｏｔｈ（登録商標）回線やＷｉＦｉの電波を受信する（Ｓ１）。体組成計１０は、この電波の受信強度（ＲＳＳＩ）を測定して（Ｓ２）、測定した電波の受信強度（ＲＳＳＩ）が一定時間を過ぎても所定値以下の状態が続く場合（異常値の検出）には、使用者端末２０が体組成計１０の近傍に移動した形跡がなく使用者に異常が起きた可能性があると判断して、監視者端末３０に対して、使用者の安否確認を促す通報メッセージを送信する（Ｓ５）。
【００２０】
ここで、体組成計１０は、異常値を検出したときにブザーや合成音声によるアラート音を発してもよい。また、体組成計１０は、監視者端末３０に通報メッセージを送信する前に、使用者端末２０に対して事前通知を行って、使用者が使用者端末２０を操作して通報メッセージの停止措置をとらなかった場合に、監視者端末３０に対して安否確認を促す通報メッセージを送信するようにしてもよい（Ｓ４）。
【００２１】
なお、使用者端末２０は、基地局４０、インターネット５０と接続しており、テザリング機能を用いることでＷｉＦｉの電波を発することが出来る。
【００２２】
次に、図２を参照して、体組成計１０の内部構成例を説明する。図２において、体組成計１０は、第１無線通信部（Ｂｌｕｅｔｏｏｔｈ回線）１１、第１無線測定部１１０、第２無線通信部（ＷｉＦｉ回線）１２、第２無線測定部１２０、第３無線通信部（モバイル回線）１３、基本機能部１４、登録部１５、条件設定部１６０、電波強度判定部１６、通報部１７、アラート出力部１８、制御部１９を備える。
【００２３】
第１無線通信部（Ｂｌｕｅｔｏｏｔｈ回線）１１は、Ｂｌｕｅｔｏｏｔｈ回線を用いて使用者端末２０との間でペアリングを行って通信を行う。
【００２４】
第１無線測定部（Ｂｌｕｅｔｏｏｔｈ回線）１１０は、使用者端末２０が発するＢｌｕｅｔｏｏｔｈ回線のビーコン信号の受信強度（ＲＳＳＩ）を測定する。この測定において、ビーコン信号に含まれているＭＡＣアドレスが予め登録部に設定したＭＡＣアドレスが一致している場合に、ビーコン信号の受信強度（ＲＳＳＩ）を測定する。この受信強度（ＲＳＳＩ）の測定は既知の無線デバイスを用いて測定することが出来る。受信強度（ＲＳＳＩ）の測定は、条件設定部１６０において予め設定された監視間隔のタイミングで行われる。
【００２５】
第２無線通信部（ＷｉＦｉ回線）１２は、例えば、ＷｉＦｉ回線を用いて使用者端末２０との間で通信を行う。
【００２６】
第２無線測定部（ＷｉＦｉ回線）１２０は、使用者端末２０が発するＷｉＦｉ回線のビーコン信号の受信強度（ＲＳＳＩ）を測定する。この測定において、ビーコン信号に含まれているＭＡＣアドレスが予め登録部に設定したＭＡＣアドレスが一致している場合に、ビーコン信号の受信強度（ＲＳＳＩ）を測定する。この受信強度（ＲＳＳＩ）の測定は既知の無線デバイスを用いて測定することが出来る。受信強度（ＲＳＳＩ）の測定は、条件設定部１６０において予め設定された監視間隔のタイミングで行われる。
【００２７】
第３無線通信部（モバイル回線）１３は、体組成計１０が監視者端末３０に対して通報メッセージを送信するときの通信インタフェースである。第３無線通信部（モバイル回線）１３は、例えば、３Ｇ、４Ｇ等の携帯電話回線を用いて監視者端末３０との間で通信を行う。
【００２８】
基本機能部１４は、体組成計１０の基本的な機能を備えている。図示しないデータ測定部、表示部、操作部、記憶部をそれぞれ備える。
【００２９】
データ測定部は、体重、体脂肪率、ＢＭＩ、基礎代謝、内蔵脂肪率、身体年齢、骨レベルなどの生体情報を測定する。測定データは使用者ごとに区別されて記憶部に記憶される。
【００３０】
表示部は、体重、ＢＭＩ、基礎代謝等の測定データの値を表示する。第１無線通信部（Ｂｌｕｅｔｏｏｔｈ回線）１１、第２無線通信部（ＷｉＦｉ回線）１２、第３無線通信部（モバイル回線）１３それぞれの接続状態、受信レベルや圏外表示を行う。また、ユーザ情報の表示、電池残量等の表示を行う。表示部は、例えば液晶パネルを用いることが出来る。
【００３１】
操作部は、登録部１５において、ユーザ情報の登録や体組成計１０の使用態様を登録する際に使用する「ＯＫ」、「クリア」、「上へ」、「下へ」等のキー操作を行う。
【００３２】
記憶部は、登録部１５によって登録されたユーザ情報と、データ測定部によって測定されたデータを記憶する。また、体組成計１０の動作を制御する各種プログラムを格納している。
【００３３】
登録部１５は、体組成計１０の使用者に関するユーザ情報を登録する。体組成計１０は、複数人が共同で使用することが出来るようになっている。登録部１５は、使用者それぞれの氏名のほか、身長などの生体情報を予め登録する。体組成計１０は、体重や体の電気抵抗値から体組成計１０に乗った使用者を自動的に認識する。これにより、体組成計１０は、体重等の測定データを自動的に使用者ごとに区別して記憶部に記録し管理することが出来るようになっている。体組成計１０が測定時に使用者を自動的に切り替える機能を備えていない場合には、測定時に使用者が手動で自身を登録することが出来るユーザインタフェースを備えるようにしてもよい。これらの使用者の氏名や身長などの初期情報の登録については、ここでは説明を省略する。
【００３４】
次に、図３を参照して、登録部１５において、体組成計１０を見守り支援装置として使用する場合の使用態様の登録について説明する。図３において、使用場所１５１は、プルダウンメニューの中から、洗面所、脱衣所、寝室、居間などの予め用意されている体組成計１０が主に使用される場所を一つ選択する。
【００３５】
使用者携帯（ＭＡＣアドレス）１５２は、使用者が普段使用している使用者端末２０を一意に特定することが可能な番号を登録する。使用者携帯１５２は、例えば、使用者端末２０のＭＡＣアドレスを設定してもよい。使用者携帯１５２は、使用者が使用者端末２０のＭＡＣアドレスを調べて、直接入力してもよいし、体組成計１０が、Ｂｌｕｅｔｏｏｔｈ回線を用いて使用者端末２０とペアリングを行う処理においてＭＡＣアドレスを取得して設定するようにしてもよい。
【００３６】
また、使用者携帯（電話番号）１５３は、使用者端末２０の電話番号を登録する。体組成計１０は、使用者端末２０に対してアラートの発生を事前に通知してもよい。その場合、使用者端末２０の電話番号を指定することによって、ショートセッセージを用いた事前通知を行うことが出来る。
【００３７】
通報先携帯（電話番号）１５４は、体組成計１０が異常を察知して使用者の安否確認を監視者に促すにあたり、監視者が普段使用している監視者端末３０を登録する。体組成計１０は、監視者端末３０に対して使用者の安否確認を促す通報メッセージを送信する。その場合、監視者端末３０の電話番号を指定することによって、ショートセッセージを用いた通報メッセージを送信することが出来る。
【００３８】
条件設定１５５は、クリックすると詳細な条件設定を行う画面に遷移する。また、メニュー１５６は、ここをクリックするとメニュー画面に遷移する。見守り支援機能１５７は、体組成計１０を見守り支援装置としても使用する（ＯＮ）か否か（ＯＦＦ）を設定するラジオボタンである。この見守り支援機能１５７は、メニュー画面或いは後述する条件設定画面１６０に設けてもよい。
【００３９】
次に、図２の条件設定画面１６０について説明する。条件設定画面１６０は、体組成計１０が設置される場所（脱衣所、居間、寝室など）を指定したあと、その設置場所に応じて、使用者端末２０が発する電波の受信強度（ＲＳＳＩ）の値の違いによって、監視者端末３０に通報メッセージを送信するための判断条件を設定する。
【００４０】
図４の条件設定画面は、図３において体組成計１０の使用場所１５１として「脱衣所」を指定したあとに条件細設定１５５をクリックすると表示部１４１に表示される画面である。
【００４１】
図４において、電波強度測定時間１６１は、使用者端末２０が発する電波の受信強度（ＲＳＳＩ）を測定する時刻を設定する。例えば、一日一回、毎時７：００などと設定する。体組成計１０は、この電波強度測定時間１６１に設定された周期で、第１無線通信部（Ｂｌｕｅｔｏｏｔｈ回線）１１と第２無線通信部（ＷｉＦｉ回線）１２のいずれか一方、又は両方の電波の受信強度（ＲＳＳＩ）を測定する。
【００４２】
優先測定回線１６５は、第１無線通信部（Ｂｌｕｅｔｏｏｔｈ回線）１１と第２無線通信部（ＷｉＦｉ回線）１２のいずれを優先的に測定するかを設定する。第２無線通信部（ＷｉＦｉ回線）１２が備わっていない使用端末２０を使用するときは、第１無線通信部（Ｂｌｕｅｔｏｏｔｈ回線）１１の電波の受信強度（ＲＳＳＩ）を優先して測定する。
【００４３】
異常継続時間１６２は、電波強度測定時間１６１で指定した時刻から一定時間が経過してもなお所定のしきい値の電波強度が観測されなかった場合に、「異常」と判断して監視者端末３０に通報メッセージを送信するための時間を設定する。ここで、この異常継続時間１６２が経過するまでの間に、使用者が体組成計１０に乗って体重等の測定を行った場合には、「異常」と判断しないようにしてもよい。この設定は、例えば、ラジオボタンやアイコン等の各種ユーザインタフェースを用いて設定してもよい。前述したように、体組成計１０は、予め登録された使用者であれば、体組成計１０に乗って生体情報の測定が行われた時点で、使用者端末２０の電波強度の観測如何によらず使用者の安否が確認出来ることになる。
【００４４】
Ｂｌｕｅｔｏｏｔｈ１６３、ＷｉＦｉ１６４は、使用者端末２０が発するそれぞれの電波の受信強度を基に「異常」と判断するための所定のしきい値を設定する。このしきい値は、電波の受信強度（ＲＳＳＩ）の値を、−○○ｄＢｍ〜−○○ｄＢｍと直接指定してもよいし、体組成計１０が常時設置される場所と使用端末２０との間の距離を半径○ｍ〜○ｍと設定してもよい。これは、使用端末２０（送信地点）と体組成計１０（受信地点）との間の距離と、体組成計１０（受信地点）における電波の受信強度（ＲＳＳＩ）との関係に着目して設定するものである。
【００４５】
図５を参照して、体組成計１０における電波の受信強度（ＲＳＳＩ）について説明する。一般に、電波の受信強度（ＲＳＳＩ）と無線機の送信電力及び無線機からの距離（ｄ）との関係は、ＲＳＳＩ＝送信電力−２０＊ｌｏｇ（ｄ）で表すことが出来る。この式から、距離（ｄ）＝１０^（送信電力−ＲＳＳＩ）／２０となる。この式を利用すれば、図５において、電波の受信強度（ＲＳＳＩ）と使用端末２０との距離（半径）を指定することにより、電波の受信強度（ＲＳＳＩ）の値を間接的に指定することが出来る。ここで、使用端末２０のＢｌｕｅｔｏｏｔｈ回線とＷｉＦｉ回線それぞれの送信電力は既知の値なので、体組成計１０からの距離（ｄ）を半径○ｍ〜○ｍと設定することによって、「異常」と判断するための電波の受信強度（ＲＳＳＩ）のしきい値を設定することが出来る。
【００４６】
体組成計１０は、図５に示すような、使用端末２０と体組成計１０との間の距離を表す半径と、Ｂｌｕｅｔｏｏｔｈ回線とＷｉＦｉ回線それぞれ電波の受信強度（ＲＳＳＩ）との関係を示す電波の受信強度（ＲＳＳＩ）しきい値テーブル１７０を予め備えるようにしてもよい。その場合、図４において、Ｂｌｕｅｔｏｏｔｈ回線とＷｉＦｉ回線それぞれついて半径を指定することで、この電波の受信強度（ＲＳＳＩ）しきい値テーブル１７０に示す範囲の受信強度（ＲＳＳＩ）が観測出来なかった場合に「異常」と判断することが出来る。
【００４７】
図２に戻って、体組成計１０の電波強度判定部１６は、図４に示した優先測定回線１６５に指定した無線回線の電波の受信強度（ＲＳＳＩ）が、電波強度測定時間１６１に測定を開始して、異常継続時間１６２に定めた時間を経過してもなお電波の受信強度（ＲＳＳＩ）しきい値テーブル１７０に示す範囲の値を観測されなかった場合に、体組成計１０が使用者端末２０の通信圏外である状態が続いている、つまり、使用者が使用者端末２０を持って体組成計１０の近傍に移動した形跡がない状態が続いているとみなして、使用者に異常が起きた可能性があると判断して、「異常」と判断する。
【００４８】
ここで、電波強度判定部１６は、いったん「異常」と判断した場合に、次の電波強度測定時間１６１を待つことなく、所定の時間ごとに電波の受信強度（ＲＳＳＩ）を測定して、このような通信圏外が発生する回数や頻度をカウントして「異常」と判断してもよい。
【００４９】
また、電波の受信強度（ＲＳＳＩ）しきい値テーブル１７０は、体組成計１０が常時設置される脱衣所、洗面所、寝室、居間等の場所ごとに、「異常」と判断する条件、つまり、電波の受信強度（ＲＳＳＩ）のしきい値の範囲を設定出来るようになっている。また、この電波の受信強度（ＲＳＳＩ）しきい値テーブル１７０は、第１無線測定部１１０、第２無線測定部１２０における電波の受信強度（ＲＳＳＩ）の実測値に基づいて、「異常」と判断するしきい値の範囲を設定出来るようになっている。
【００５０】
通報部１７は、体組成計１０が、使用者端末２０が発する電波の受信強度（ＲＳＳＩ）の値に基づいて「異常」を検知すると、監視端末３０に対する通報メッセージを作成して第３無線通信部（モバイル回線）１３から送信する。また、通報部１７は、使用者端末２０に対する事前通知のショートメッセージを作成して、第１無線通信部（Ｂｌｕｅｔｏｏｔｈ回線）１１または第２無線通信部（ＷｉＦｉ回線）１２から送信する。
【００５１】
アラート出力部１８は、体組成計１０が、使用者端末２０が発する電波の受信強度（ＲＳＳＩ）の値に基づいて「異常」と判断した場合には、内蔵しているタイマーが起動して、タイマーがカウントアップするとアラート音を発生して、このアラート音は、体組成計１０のスピーカから音声ガイダンスを出力したり、ブザーを鳴らすようにしてもよい。なお、上述の通報部１７の通報メッセージも、このタイマーがカウントアップしたときに送信されるようになっている。
【００５２】
制御部１９は、は、ＣＰＵ等の制御デバイスであり、記憶部にインストールされているプログラムに従って動作する。制御部１９は、このプログラムを実行することで、情報処理に係る汎用機能と連携して、体組成計１０の使用態様の登録、使用者端末２０が発する電波の受信強度（ＲＳＳＩ）に基づいて「異常」と判断するための条件設定、その電波の受信強度（ＲＳＳＩ）の測定、その電波の受信強度（ＲＳＳＩ）に基づく「異常」の判断、事前通知メッセージの作成と送信、通報メッセージの作成と送信及び停止措置、アラート音の出力や停止措置等の一連の処理を行う
【００５３】
次に、図６を参照して、体組成計１０の動作処理フローを説明する。いま、体組成計１０は、電源がオンになっていて体重等の測定を行うことが出来る待機状態にある（Ｓ６０１）。なお、この体組成計１０は、登録部１５の登録画面１５０、条件設定画面１６０に示す使用態様、電波の受信強度（ＲＳＳＩ）しきい値デーブル１７０に基づいて「異常」と判断するための条件等が予め設定されているものとする。
【００５４】
体組成計１０は、条件設定画面１６０において設定した電波強度測定時間１６１になると、優先測定回線１６５において指定した無線回線の電波の受信強度（ＲＳＳＩ）の測定を開始する（Ｓ６０２）。ここでは、第１無線通信部（Ｂｌｕｅｔｏｏｔｈ回線）１１の電波を測定するものとして、第１無線測定部１１０がＢｌｕｅｔｏｏｔｈ回線の受信強度（ＲＳＳＩ）の測定を行う。
【００５５】
体組成計１０は、電波強度判定部１６によって、第１無線測定部１１０が測定したＢｌｕｅｔｏｏｔｈ回線の受信強度（ＲＳＳＩ）が異常継続時間１６２を経過してもなお電波の受信強度（ＲＳＳＩ）しきい値テーブル１７０に示す範囲の値を観測しなかった場合には、例えば、体組成計１０が使用者端末２０の通信圏外である状態が長く続いている、つまり、使用者が使用端末２０を持って体組成計１０の近くに足を運んだ形跡がないとみなして、使用者に「異常」が生じた疑いがあると判断する（Ｓ６０３）。
【００５６】
なお、異常継続時間１６２の時間内に電波の受信強度（ＲＳＳＩ）しきい値テーブル１７０に示す範囲の値が観測された場合には「異常」と判断しないで待機状態に戻る（Ｓ６０５）。また、体組成計１０は、異常継続時間１６２の時間内に、使用者が体組成計１０に乗って体重等の測定を行ったことを検知した場合も「異常」と判断しないようにしてもよい。この場合、体組成計１０に乗った場合に「異常」と判断しないようにする設定は、前述したように、ラジオボタンやアイコン等の各種ユーザインタフェースを用いて設定出来るようになっている。
【００５７】
体組成計１０は、使用者端末２０が発する電波の受信強度（ＲＳＳＩ）の値に基づいて「異常」と判断した場合には、監視者端末３０に通報を行うが、その通報に先立って使用端末２０に対して事前通知を行う（Ｓ６０４）。これは、例えば、体組成計１０から遠く離れた場所に使用者端末２０が置きっ放しにされていて、体組成計１０において使用者端末２０が発する電波の受信強度（ＲＳＳＩ）が低い状態が長く続くような場合も想定されることから、通報メッセージが送信される前に使用者端末２０に対して注意メッセージを送信するものである。
【００５８】
使用者がこの注意メッセージを見て、体組成計１０の通報メッセージの送信を停止する措置を行った場合には、体組成計１０は、通報メッセージを送信しないで待機状態に戻る（Ｓ６０７）。もし、使用者が通報メッセージの送信を停止する措置を行わなかった場合（Ｓ６０８）には、体組成計１０は、監視端末３０に対して通報メッセージを送信する（Ｓ６０９）。
【００５９】
図７を参照して、通報メッセージの一例について説明する。体組成計１０は、使用者端末２０が発する電波の受信強度（ＲＳＳＩ）の値に基づいて「異常」を検知すると、通報部１８によって事前通知のショートメッセージを作成する（Ｓ７０１）。このショートメッセージには、体組成計１０が「異常」を検知して、あと３分１０秒後にアラート音を出力することと、監視者端末３０に対して通報メッセージを送信する旨のコメントが記載されている。
【００６０】
体組成計１０は、この事前通知のショートメッセージを使用者端末２０に送信する（Ｓ７０２）。使用者端末２０は、このショートメッセージを受信すると、アラート音を出力するように予め設定しておいてもよい。体組成計１０は、使用者によってアラート音と通報メッセージの停止措置が行われると、アラート音を出力せず通報メッセージも送信しない。この停止措置は、体組成計１０に「アラート音停止」や「通報停止」のボタン操作を行うようにしてもよい。また、使用者が体組成計１０に乗ったときに、この停止措置が行われるようにしてもよい。
【００６１】
体組成計１０は、この停止措置が行われなかった場合には、監視者端末３０に対して通報メッセージを送信する（Ｓ７０３）。この通報メッセージには、体組成計１０において「異常」が検知されたこと、使用者端末２０が寝室に２４時間以上放置されている疑いがあること、監視者に使用者の安否確認を促す旨のコメントが記載されている。ここで、体組成計１０の設置場所が「寝室」であること、放置時間が「２４時間以上」であることは、登録画面１５０、条件設定画面１６０により予め登録した使用態様や「異常」と判断するための異常継続時間の設定情報を用いることが出来る。
【００６２】
体組成計１０は、前述したように複数の人が共同で使用することが出来る。図３の登録画面１５０、図４の条件設定画面１６０、電波の受信強度（ＲＳＳＩ）しきい値テーブル１７０の各パラメータの設定値は、使用者ごとに個別に設定することが可能である。また、通報メッセージの通報先を一か所ではなく複数の通報先を指定したり、通報メッセージの再送有無を指定することも出来る。また、事前通知の有無やアラートの停止措置の方法等についても使用者ごとに個別に設定することが可能である。
【００６３】
また、登録画面１５０、条件設定画面１６０、電波の受信強度（ＲＳＳＩ）しきい値テーブル１７０の各パラメータの設定値は、使用者端末２０やパソコン等の外部装置から体組成計１０に対してデータを転送するようにしてもよい。その場合、使用者端末２０やパソコンに専用アプリ等のプログラムが起動すると、パラメータの設定に係る入力フォームとガイダンスが画面に表示されるようにして、ガイダンスに従って設定値の入力と体組成計１０ヘの転送が実行される。
【００６４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６５】
特許請求の範囲、明細書、および図面中において示した装置、システム、プログラム、および方法における動作、手順、ステップなどの各処理の実行順序は、前の処理の出力を後の処理で用いるのでない限り、順序を変更して実現することが出来る。特許請求の範囲、明細書、及び図面中の動作フローに関して、便宜上「まず、」、「次に、」などを用いて説明したとしても、この順で実施することが必須であることを意味するものではない。
【符号の説明】
【００６６】
１０  体組成計（見守り支援装置）
１１  第１無線通信部（Ｂｌｕｅｔｏｏｔｈ回線）
１２  第２無線通信部（ＷｉＦｉ回線）
１３  第３無線通信部（モバイル回線）
１４  基本機能部
１５  登録部
１６  条件設定部
１７  アラート出力部
１８  通報部
１９  制御部
２０  使用者端末
３０  監視者端末
４０  基地局
５０  インターネット
１１０  第１無線測定部（Ｂｌｕｅｔｏｏｔｈ回線）
１２０  第２無線測定部（ＷｉＦｉ回線）
１５０  登録画面
１６０  条件設定画面
１７０  電波の受信強度（ＲＳＳＩ）しきい値テーブル
【図１】
2019016260.tif 000003
【図２】
2019016260.tif 000004
【図３】
2019016260.tif 000005
【図４】
2019016260.tif 000006
【図５】
2019016260.tif 000007
【図６】
2019016260.tif 000008
【図７】
2019016260.tif 000009